(57)【要約】  閉状態から開状態にする際に自動的に収納される窓および／またはドアのカバーを備えるテントを提供する。テントの窓および／またはドアが布地カバーにより覆われた閉状態から、布地カバーの一部または全部が取り除かれる開状態となる際に、布地カバーは、それ自体を自動的に収納する。布地カバーを開くことと収納することの両方を、布地カバーを開くことで達成する。【選択図】図１
2011523446.tif 000002
【特許請求の範囲】
【請求項１】
開口を備える窓と、該窓の開口用に設けられた、自動的に収納される布地カバーとを備える、織物構造体。
【請求項２】
前記布地カバーは、前記窓の開口を覆う第１の位置と、該開口から一部または全部が取り除かれる第２の位置との間で移動可能であり、該第１の位置から該第２の位置へ移動する際に、該布地カバーが自動的に収納される、請求項１に記載の織物構造体。
【請求項３】
前記布地カバーは、前記第１の位置から前記第２の位置に移動する際に、自動的に巻き取られる、請求項２に記載の織物構造体。
【請求項４】
前記自動的に巻き取る機構は、前記布地カバーに取り付けられ、または、該布地カバーに埋め込まれた、巻き状態にバイアスをかけるバネからなる、請求項３に記載の織物構造体。
【請求項５】
前記布地カバーは、アコーディオン型プリーツと、弾性を有するドローストリングとを備え、該弾性を有するドローストリングは、解除された状態では、前記アコーディオン型プリーツを互いに引き寄せて、前記布地カバーを畳む、請求項１に記載の織物構造体。
【請求項６】
前記布地カバーを完全に移動させて収納位置で固定するための固定機構が、前記ドローストリングのそれぞれに設けられている、請求項５に記載の織物構造体。
【請求項７】
前記窓は、自動巻きリールを備え、該リールに前記布地カバーが取り付けられている、請求項１に記載の織物構造体。
【請求項８】
開口を備えるドアと、該ドアの開口用に設けられた、自動的に収納される布地カバーとを備える、織物構造体。
【請求項９】
前記布地カバーは、前記ドアの開口を覆う第１の位置と、該開口から一部または全部が取り除かれる第２の位置との間で移動可能であり、該第１の位置から該第２の位置へ移動する際に、該布地カバーが自動的に収納される、請求項８に記載の織物構造体。
【請求項１０】
前記布地カバーは、前記第１の位置から前記第２の位置に移動する際に、自動的に巻き取られる、請求項９に記載の織物構造体。
【請求項１１】
前記自動的に巻き取る機構は、前記布地カバーに取り付けられ、または、該布地カバーに埋め込まれた、巻き状態にバイアスをかけるバネからなる、請求項１０に記載の織物構造体。
【請求項１２】
前記布地カバーは、アコーディオン型プリーツと、弾性を有するドローストリングとを備え、該弾性を有するドローストリングは、解除された状態では、前記アコーディオン型プリーツを互いに引き寄せて、前記布地カバーを畳む、請求項８に記載の織物構造体。
【請求項１３】
前記布地カバーを完全に移動させて収納位置で固定するための固定機構が、前記ドローストリングのそれぞれに設けられている、請求項１２に記載の織物構造体。
【請求項１４】
前記ドアは、自動巻きリールを備え、該リールに前記布地カバーが取り付けられている、請求項８に記載の織物構造体。
【請求項１５】
テントまたはシェルタを使用可能状態に組み立てるためのフレーム構造体と、
該フレーム構造体により支持される少なくとも１つの壁と、
該少なくとも１つの壁に設けられる、窓またはドア用の開口と、
該開口を覆うために設けられる、自動的に収納される布地カバーと、
を備える、テントまたはシェルタ。
【請求項１６】
前記布地カバーは、前記開口を覆う第１の位置と、該開口から一部または全部が取り除かれる第２の位置との間で移動可能であり、該第１の位置から該第２の位置へ移動する際に、該布地カバーが自動的に収納される、請求項１５に記載のテントまたはシェルタ。
【請求項１７】
前記布地カバーは、前記第１の位置から第２の位置に向けて、略水平に移動する、請求項１６に記載のテントまたはシェルタ。
【請求項１８】
前記布地カバーは、前記第１の位置から第２の位置に向けて、略垂直に移動する、請求項１６に記載のテントまたはシェルタ。
【発明の詳細な説明】
【技術分野】
【０００１】
本発明は、織物構造体、より具体的には、カバー付きの窓および／またはドアを備えるテントに関する。
【背景技術】
【０００２】
テントは、軽量で、多くの場合に防水性の布地により作られる、携帯可能な構造体である。一般的に、テントは、ポリエステルまたは他の生地が、１つ以上のポールなどからなるフレームを覆うとともに、このフレームにより支持される、組立式のシェルタである。テントは野外でのキャンプで使用されるほか、一時的な構造物としても使用される。テントには、ドーム型やキャビン型などの種々の形状がある。
【先行技術文献】
【特許文献】
【０００３】
【特許文献１】米国特許第５８９３２３８号公報
【特許文献２】実用新案登録第３１０４３２９号公報
【特許文献３】韓国特許出願公開第２０−０４０５１２５号公報
【特許文献４】米国特許第６３３８３５６号公報
【発明の概要】
【発明が解決しようとする課題】
【０００４】
本発明は、閉状態から開状態にする際に自動的に収納される窓および／またはドアのカバーを備えるテント、その他の織物構造体を提供する。
【課題を解決するための手段】
【０００５】
本発明の一実施形態によれば、自動的に収納された窓のカバーを備えるテントが提供される。一実施形態において、布地カバーがテントの窓の開口を覆っている閉状態から、布地カバーの一部または全部が取り除かれた開状態になると、布地カバーは、それ自体を自動的に収納する。ユーザは、布地カバーを開けるだけで、布地カバーを開状態とすることと収納することの両方を達成できる。
【０００６】
一実施形態において、窓が開く際に、布地カバーは自動的に巻き取られる。この巻き取りは、たとえば布地カバーに取り付けられ、または埋め込まれた、巻かれた状態に付勢するプラスチックまたは金属のバネにより実現される。
【０００７】
一実施形態において、布地カバーは、アコーディオン型プリーツおよび弾性ドローストリングを備える。弾性ドローストリングは、解除された状態では、アコーディオン型プリーツを互いに引き寄せて、布地カバーを畳む。ドローストリングの伸縮性により、布地カバーはこの位置で自動的に収納される。一実施形態において、ドローストリングは、収納位置で布地カバーを完全に畳むための固定機構を備える。
【０００８】
一実施形態において、テントの窓は、布地カバーが取り付けられた自動巻きリールを備える。ユーザは、自動巻きリールのテンションに反して布地カバーを引くことにより、開口を閉じることができる。一方、自動巻きリールを作動させることにより、布地カバーを収納位置に畳むことができる。
【０００９】
本発明のその他の特徴は、以下の詳細な説明と図面により、明らかにされる。
【発明の効果】
【００１０】
本発明により、自動的に収納された窓のカバーを備えるテントが提供される。
【図面の簡単な説明】
【００１１】
【図１】一実施形態に係るテントの側方斜視図である。
【図２】窓に布地カバーが部分的に下ろされている状態にある、図１に示したテントの窓の正面概略図である。
【図３】窓に布地カバーがさらに下ろされている状態にある、図２に示した窓の正面概略図である。
【図４】図３に示した窓の側面概略図である。
【図５】窓がアコーディオン型プリーツの布地カバーを備える、別の実施形態に係る窓を示す下部斜視図である。
【図６】布地カバーが部分的に開いている状態にある、図５に示した窓の下部斜視図である。
【図７】窓のカバーが完全に開けられている状態にある、図５および図６に示した窓の下部斜視図である。
【図８】一実施形態に係る窓のカバーの別の例を示す下部斜視図である。
【発明を実施するための形態】
【００１２】
以下の説明において、本発明のさまざまな実施形態が説明される。説明を目的として、特定の構成および細部について説明し、これらの実施形態の十分な理解が図られるようにしている。しかしながら、当業者には、これら特定の細部についての説明がなくても、本発明を実施できることは明らかである。さらに、実施形態の説明が不明瞭とならないように、周知の特徴についてはその説明を省略ないしは簡略化する場合がある。さらに、実施形態の方向を示す語については、実施形態の理解を図るためのものであり、本発明はその方向によっては制限されるものではない。
【００１３】
各図において、同様の構造には同じ符号を付して説明する。図１には、本実施形態に係るテント２０が示されている。図示のテント２０はキャビン型テントであるが、本発明の特徴は、ドーム型、その他の自立型テント、キャビン、その他の構造にも適用できる。すなわち、本明細書は、テント２０や他のテントについて記載しているが、本発明は、多くの異なるテント構造体、および、シェルタなどのテント以外の織物構造体にも適用される。しかしながら、本発明は、一般的なキャビン型テントもしくは自立型テントからなるファミリータイプのキャンピングテントに特に適用される。「自立型」とは、ガイロープやステーク（ペグ）なしでも、組立て可能かつ自立できるものを意味する。たとえばドーム型テントがあげられる。本発明の態様は、ファミリータイプの自立型テントに特に好適であるが、その他の型のテントないしはその他の織物構造体にも適用可能である。
【００１４】
テント２０は、壁２２と、この壁およびテントを従来知られている方法で支持するポール２４とを備える。なお、実施形態において、「壁」とは、テントの一般的な壁のほか、テントの上部を覆う部分も含まれる。ドア２６および窓２７がテント２０に備えられている。窓２７は、たとえばテントの壁２２の一つに配置される。一実施形態において、以下に示すように、窓は布地カバーを備え、この布地カバーは、窓が開く際に、それ自体を自動的に収納する。
【００１５】
図２に、窓２７として使用可能な窓３０を例示する。本明細書において説明する実施形態では、窓３０のような窓は、一般的にスクリーン素材を備えるテントの開口からなる。すなわち、側壁２２が備える開口は、スクリーン素材で覆われているが、このスクリーン素材は不可欠なものではない。図２の窓３０の実施形態の場合、スクリーン素材は符号３３で描かれている。しかしながら、上述のように、窓は必ずしもスクリーン素材を備えている必要はなく、布地素材が窓の開口から取り除かれて窓が開いたときに、光、雨、および／または空気がテントの中に取り込めるような他の素材を備えるようにしてもよい。
【００１６】
図示の実施形態では、窓３０の開口を閉じまたは塞ぐために布地カバー３４が使用される。窓３０を覆った閉状態では、布地カバー３４により、窓を通じての外の光、雨および／または空気の侵入が低減される。布地カバー３４は、たとえば側壁２２と同じ材料により作られる。または、窓３０の開口を覆うように動かすことができ、その後取り除いて窓を開けることができる、可撓性の適切な布地またはクロスを用いてもよい。布地カバー３４は、典型的には窓の内側を覆うよう延在するが、外側に延在させてもよい。
【００１７】
図示の実施形態では、布地カバー３４は、その側縁が側壁２２に着脱自在に取り付けられるとともに、窓の開口の下縁に恒久的に取り付けられている。布地カバー３４は、側縁以外の部分が着脱自在に取り付けられるようにしてもよく、異なる部分が恒久的に取り付けられるようにしてもよい。
【００１８】
図示の実施形態では、側縁はジッパー３６により取り付けられており、各ジッパー３６はそれぞれジッパープル３８を備えている。異なる閉止機構を採用してもよい。たとえば、フックループファスナ、ループトグルファスナ、クリップ、留め具、その他の適切な閉止機構を採用できる。
【００１９】
上述のように、布地カバー３４は、一部または全部を開いて窓３０の開口を開けると、この布地カバーを自動的に収納する機構を備えている。図２の実施形態では、布地カバー３４は、布地カバー３４の外縁に沿って延在するプラスチックバネ３２を有している。または、プラスチックバネ３２を、側縁の中間部のどこかに配置させてもよく、使用するプラスチックばねの数も１つだけとするか、または２つ以上とすることもできる。たとえば、窓が上部に頂点を有する三角形の形状である場合、１つのプラスチックバネを、窓カバーの下部から頂点へ向けて延在させる。
【００２０】
プラスチックバネ３２は、たとえば、巻き状態にバイアスがかけられた、いかなる素材をも採用することができる。バネ３２はプラスチック製とする必要はなく、巻き状態にバイアスがかけられている、バネ鋼、その他の適切な金属材料、複合材料、形状記憶プラスチック、その他の構造体としてもよい。好ましくは、材料は耐腐食性を備えることが望ましい。弛緩状態のプラスチックバネ３２の例を図４に示す。
【００２１】
ジッパー３６が閉じられると、プラスチックバネ３２は、巻き状態へのバイアスに抗してまっすぐに維持される。ジッパープル３８が下方に引かれてジッパー３６が開くと、プラスチックバネ３２は、巻き状態へのバイアスにより、帆を巻き上げるように巻き状態に巻き始める。この巻き動作は、ジッパープル３８が下方に引かれている間続き、布地カバー３４は、コンパクトに締まった、細長い円筒状に巻き上げられる。
【００２２】
図２のように、布地カバー３４が部分的に下げられた状態において、離れた部分がぶら下がってしまうことなく、図２に示すように、プラスチックバネ３２のバイアスによって、ジッパープル３８の上部にて丸まったチューブ状の状態となる。引き続きジッパープル３８を下方に引くと、図３に示すように、布地カバー３４はより大きく巻かれたチューブ状の状態となる。
【００２３】
プラスチックバネ３２により、布地カバー３４を簡便かつ自動的に収納できる。ジッパープル３８がジッパー３６の一番下に到達するまで、この収納状態を継続できる。この手段により、布地カバー３４は自動的に簡便な状態で収納されるので、布地カバーがテント２０の中で垂れ下がったりしないように、結んだり、その他の方法によって固定する必要がない。布地カバー３４が収納されるにしたがって、開いた窓の高さが増加する。
【００２４】
テントの保管に邪魔にならないように、プラスチックバネ３２には、十分な可撓性をもたせる。または、プラスチックバネ３２を保管時に取り外すようにしてもよい。
【００２５】
テントの窓のための布地カバーを自動的に収納できるようにするために、他の構造を採用してもよい。たとえば、図５に示す窓４０では、布地カバー４２はアコーディオン型のプリーツ４４を備えている。周知のように、アコーディオンプリーツはプリーツの基本的な形状であり、交互に逆を向いて等幅に折られた恒久的な一連の折り目を備える。複数の開口４６がプリーツの側縁に沿って設けられている。ドローストリング４８が、布地カバー４２の両側縁を下方に延在している。ドローストリング４８は、隣り合った開口４６を出たり入ったりすることで、隣り合ったプリーツ４４の折り目を、互いにドローストリング４８の両側に位置させている。
【００２６】
一実施形態において、ドローストリング４８は弾性体または弾性を有するその他の材料からなる。ドローストリングをピンと張った状態に引っ張って維持するための機構が設けられている。図示の実施形態では、その機構は、ドローストリング４８の端部に配置されたフック５０と、布地カバー４２が窓４０の開口を覆って完全に延在したときにフックが取り付けられるアイレット５２とからなる。
【００２７】
布地カバー４２を外すには、ユーザがフック５０をアイレット５２から取り外すだけで十分である。ドローストリング４８は可撓性を有するため、アコーディオンプリーツ４４を上方に引っぱり、図６に示す中間状態とする。ユーザは、単にフック５０をアイレット５２から取り外して布地カバー４２を跳ね上げるようにしてもよいし、フックを外した後でドローストリングが動かなくなるまでフックを引き上げるようにしてもよい。フック５０が取り外されてドローストリングが動かなくなると、窓４０の開口の約半分が露出し、布地カバー４２は、垂れ下がることなく、この位置で収納される。
【００２８】
窓４０の開口から布地カバー４２を完全に取り除くためには、ドローストリング４８にバレルロック５４（図７）などの固定機構を設けて、図７に示すように、アコーディオンプリーツ４４を上昇した位置で固定する。この位置で、窓４０の開口は完全に露出する。窓を再び閉じるためには、バレルロック５４をフック５０に向けてドローストリング４８の端部まで戻し、布地カバー４２を図６に示す状態に戻す。その後、ドローストリング４８の弾性張力に抗してフック５０を下方に引いて、アイレット５２に引っ掛ける。この位置で、アコーディオンプリーツ４４は自由状態で垂れ下がり、窓４０の開口が覆われる。
【００２９】
一実施形態において、布地カバー４２および付属するドローストリング４８は、大きく固い要素を備えていないので、テント２０の保管の邪魔にはならない。
【００３０】
ドローストリング４８は、弾性のないコード、ストリング、ストラップにより構成してもよい。このような実施形態においては、ドローストリングを所定位置に固定するため、バレルロックなどの固定器具を用いる。
【００３１】
図８に、窓６０の追加実施形態を示す。この実施形態では、一般的な家庭用ブラインドで使用されているような自動巻きリール６２が、窓６０の開口の上部に配置されている。布地カバー６４は、自動巻きリール６２の周りに巻かれて設けられている。布地カバー６４を下方に引くためのストリング６６が布地カバー６４の下部に配置される。自動巻きリール６２は、ホイールに回転方向のバイアスをかける張力機構を備えている。従来知られているように、このようなホイールは、ユーザが布地カバーを所定位置に固定できるようにするための固定機構を備える。さらに、ストリング６６を下方に引くと、自動巻きリール６２が係合して、布地カバーが引き上げられ、自動巻きリールの周りに完全に巻き上げられる。
【００３２】
必要に応じて、自動巻きリール６２を着脱式として、テント２０を効率的に収納できるようにする。
【００３３】
上記の実施形態は、テントの窓のための布地カバーを収納するために、結んだり、包んだり、巻いたり、あるいは収納のための他の工程を必要としないという利点を備える。したがって、ユーザは、テントの中で布地カバーの垂れ下がりに煩わされることなく、窓を素早く開けることができる。
【００３４】
なお、テント２０の窓２７を覆う場合について説明したが、本明細書において説明した実施形態は、シェルタなどの織物構造体についても適用することができる。さらに、本明細書において説明した窓の特徴は、ドアに設けられた窓のカバーや、ドアのカバーを自動的に収納するために適用することもできる。
【００３５】
その他の実施形態についても本発明の概念の範囲内にある。本発明にさまざまな改良を施し、構成を変更することも可能であるが、特定の実施形態のみについて図面に示し、上記のように詳細な説明をなしている。しかしながら、本発明を開示した特定の形態に限定する意図はなく、本発明は、特許請求の範囲に規定される発明の思想と範囲に属するすべての改良、変更、および均等物を包含する。
【符号の説明】
【００３６】
２０  テント
２２  側壁
２６  ドア
２７  窓
３０  窓
３２  プラスチックバネ
３３  スクリーン
３４  布地カバー
３６  ジッパー
３８  ジッパープル
４２  布地カバー
４４  アコーディオンプリーツ
４８  ドローストリング
５０  フック
５２  アイレット
６０  窓
６２  自動巻きリール
６４  布地カバー
６６  ストリング
【図１】
2011523446.tif 000003
【図２】
2011523446.tif 000004
【図３】
2011523446.tif 000005
【図４】
2011523446.tif 000006
【図５】
2011523446.tif 000007
【図６】
2011523446.tif 000008
【図７】
2011523446.tif 000009
【図８】
2011523446.tif 000010
【国際調査報告】
2011523446.tif 000011
2011523446.tif 000012